(57)【要約】【課題】スクリーンとプロジェクタの距離に応じて、自動的に投写映像の輝度を調整し、設置環境に応じた最適な明るさで投写映像を表示することのできるプロジェクタを得る。【解決手段】入力映像信号に基づく出力映像信号を生成する映像信号処理部３２と、出力映像信号に基づいて映像を投射する投射部と、映像信号処理部３２及び投射部の動作を制御する制御部２１と、投射部の設置位置から映像投写位置までの距離を取得する距離取得部６１と、を備え、制御部２１は、距離取得部６１が取得した距離の値に応じて投写映像の輝度を調整することを特徴とする。【選択図】図１
2008203490.tif 000002
【特許請求の範囲】
【請求項１】
入力映像信号に基づく出力映像信号を生成する映像信号処理部と、
前記出力映像信号に基づいて映像を投射する投射部と、
前記映像信号処理部及び前記投射部の動作を制御する制御部と、
前記投射部の設置位置から映像投写位置までの距離を取得する距離取得部と、
を備え、
前記制御部は、
前記距離取得部が取得した距離の値に応じて投写映像の輝度を調整する
ことを特徴とするプロジェクタ。
【請求項２】
前記投射部の設置位置から映像投写位置までの距離と、投写映像の輝度との関係を表す関係テーブルを格納した記憶部を備え、
前記制御部は、
前記距離取得部が取得した距離の値に基づき前記関係テーブルを参照し、投写映像の輝度を調整する
ことを特徴とする請求項１に記載のプロジェクタ。
【請求項３】
当該プロジェクタの動作モードを前記制御部に指示する動作モード指示部を備え、
前記記憶部は、
前記動作モード毎に前記関係テーブルを格納しており、
前記制御部は、
前記動作モード指示部より受け取った動作モードの指示値に対応する前記関係テーブルを参照し投写映像の輝度を調整する
ことを特徴とする請求項２に記載のプロジェクタ。
【請求項４】
前記投射部は光源を備えており、
前記制御部は、
前記光源の光量を調整することにより、投写映像の輝度を調整する
ことを特徴とする請求項１ないし請求項３のいずれかに記載のプロジェクタ。
【請求項５】
前記制御部は、
前記出力映像信号の輝度を補正することにより、投写映像の輝度を調整する
ことを特徴とする請求項４に記載のプロジェクタ。
【発明の詳細な説明】
【技術分野】
【０００１】
本発明は、スクリーンまでの距離に応じて、投写映像の輝度を自動調整する機能を備えたプロジェクタに関するものである。
【背景技術】
【０００２】
従来、『台形歪みの自動補正機能を低コストで設けることができるプロジェクタと、撮像装置、台形補正用プログラムを提供する。』ことを目的とした技術として、『投影画像を撮像するイメージセンサ１１を設け、かつレンズモータ７により投影レンズ６（を構成するフォーカスレンズ）を駆動して、スクリーン上の投影画像のフォーカスを調整可能とする。電源投入時等に制御装置５は、コントラストＡＦと同様の手法で、投影レンズ６を光軸方向に移動させながらイメージセンサ１１による撮像を行い、撮像した画像の所定の検出領域のコントラスト値が最大となる投影レンズ６の位置を検出し、それを距離情報として取得する。上検出領域を複数ヶ所に切り替えて取得した複数の距離情報に基づき、装置本体のスクリーンに対する傾き角度を演算し、演算結果に応じて投影画像の台形歪みを台形補正部に補正させる。１つのイメージセンサ１１により装置本体の上下及び左右方向の傾きが検出できる。』というものが提案されている（特許文献１）。
また、『投射レンズと投射面との間の投射距離の検出精度を向上する。』ことを目的とした技術として、『投射レンズ１１と投射面との間の投射距離を検出するためのテストパターンを照射するテストパターン照射部２１と、投射面上に照射されたテストパターンを撮像するための撮像部２２とを有しこの撮像部２２によって撮像されたテストパターンから投射距離を検出するための距離検出装置６を備える。また、撮像部２２は、テストパターンを撮像するための撮像素子２８と、テストパターンを撮像素子２８に導くための光学系２６とを有する。そして、光学系２６の中心位置が、撮像素子２８の受光面の中心位置よりも、受光面に平行な方向に対して、テストパターン照射部２１の光軸に近づけて設けられる。』というものが提案されている（特許文献２）。
【０００３】
【特許文献１】特開２００４−２０８０８９号公報（要約）
【特許文献２】特開２００５−１６９７０号公報（要約）
【発明の開示】
【発明が解決しようとする課題】
【０００４】
上記特許文献１に記載の技術では、プロジェクタとスクリーンとの投写角度によって生じる投写映像の台形歪みを自動的に補正することができる。これにより、プロジェクタの設置環境の差異によらず、スクリーン形状の歪みのない投写映像が簡単に得られる。
一方、スクリーンとプロジェクタの距離によっては、投写映像が明るすぎたり、あるいは逆に暗すぎたりする場合がある。上記特許文献１に記載の技術では、設置環境によらず自動的に台形歪み補正が可能であるが、投写映像の輝度が最適でない場合には、結局のところユーザが手動で輝度調整をしなければならない。このとき、ユーザが都度手動で輝度を調整するのは非常に手間がかかる。
また、特許文献２に記載の技術は、スクリーンとプロジェクタの間の距離を検出するものであり、投写映像の輝度の自動調整をするものではない。
【０００５】
そこで、本発明では、スクリーンとプロジェクタの距離に応じて、自動的に投写映像の輝度を調整し、設置環境に応じた最適な明るさで投写映像を表示することのできるプロジェクタを提供することを目的とする。
【課題を解決するための手段】
【０００６】
本発明に係るプロジェクタは、入力映像信号に基づく出力映像信号を生成する映像信号処理部と、前記出力映像信号に基づいて映像を投射する投射部と、前記映像信号処理部及び前記投射部の動作を制御する制御部と、前記投射部の設置位置から映像投写位置までの距離を取得する距離取得部と、を備え、前記制御部は、前記距離取得部が取得した距離の値に応じて投写映像の輝度を調整する。
そのため、距離取得部が取得した投射距離に応じて投写映像の輝度を自動調整することができるので、投射距離によらず一定の投写映像の明るさをユーザに体感させることができる。
【０００７】
また、本発明に係るプロジェクタは、前記投射部の設置位置から映像投写位置までの距離と、投写映像の輝度との関係を表す関係テーブルを格納した記憶部を備え、前記制御部は、前記距離取得部が取得した距離の値に基づき前記関係テーブルを参照し、投写映像の輝度を調整する。
そのため、距離輝度テーブル５１ａを参照することにより、投射距離と投写映像の輝度との関係を得ることができるので、投射距離と投写映像の輝度との関係を詳細に設定することが可能となる。これにより、投写映像の輝度を、プロジェクタの特性や想定利用環境に合わせて最適化することが可能となる。
【０００８】
また、本発明に係るプロジェクタは、当該プロジェクタの動作モードを前記制御部に指示する動作モード指示部を備え、前記記憶部は、前記動作モード毎に前記関係テーブルを格納しており、前記制御部は、前記動作モード指示部より受け取った動作モードの指示値に対応する前記関係テーブルを参照し投写映像の輝度を調整する。
そのため、複数の動作モードを持つプロジェクタについて、動作モード毎に投射距離と投写映像の輝度との関係を距離輝度テーブル５１ｂ中に保持することにより、自動調整される輝度の値を動作モード毎にカスタマイズすることができる。
【０００９】
また、本発明に係るプロジェクタにおいて、前記投射部は光源を備えており、前記制御部は、前記光源の光量を調整することにより、投写映像の輝度を調整する。
そのため、プロジェクタの使用環境に合わせて画面の明るさを調整できるので、画面が明るすぎて眩しいとユーザに感じさせたり、逆に画面が暗すぎて映像が観づらいと感じさせたり、といったことがなくなり、ユーザにとって使い勝手のよいプロジェクタを提供することができる。
【００１０】
また、本発明に係るプロジェクタにおいて、前記制御部は、前記出力映像信号の輝度を補正することにより、投写映像の輝度を調整する。
そのため、光源の光量調整のみでは調整できない微妙な色合い等に起因する画面の明るさの印象を調整することができる。
【発明を実施するための最良の形態】
【００１１】
実施の形態１．
図１は、本発明の実施の形態１に係るプロジェクタ１の機能ブロック図である。
図１のプロジェクタ１は、光源１３、液晶ライトバルブ駆動部１４、液晶ライトバルブ１５Ｒ、１５Ｇ、及び１５Ｂ、投射光学系１６、スクリーンＳＣ、制御部２１、映像入力部３１、映像信号処理部３２、フレームメモリ３３、操作パネル４１、操作信号処理部４２、記憶部５１、距離取得部６１を備える。
【００１２】
光源１３は、最終的にユーザへ表示する映像のための光源供給部であり、液晶ライトバルブ１５Ｒ、１５Ｇ、及び１５Ｂに向けて光を射出する。
液晶ライトバルブ駆動部１４は、映像信号処理部３２が出力する出力映像信号に基づいて、液晶ライトバルブ１５Ｒ、１５Ｇ、及び１５Ｂを駆動する。
液晶ライトバルブ１５Ｒ、１５Ｇ、及び１５Ｂは、複数の図示しない画素がマトリクス状に形成されており、液晶ライトバルブ駆動部１４により各画素の透過率が調整されることにより、光源１３から射出された光を変調し、投射光学系１６に向けて射出する。
液晶ライトバルブ１５Ｒ、１５Ｇ、及び１５Ｂから射出された光は、投射光学系１６によってスクリーンＳＣ上に拡大投射される。
投射光学系１６には、投射光の焦点を変更可能なフォーカス機構と、投射光の拡大率を変更可能なズーム機構とが備えられている。
本発明における「投射部」は、光源１３、液晶ライトバルブ駆動部１４、液晶ライトバルブ１５Ｒ、１５Ｇ、及び１５Ｂ、及び投射光学系１６がこれに該当する。
【００１３】
制御部２１は、映像信号処理部３２の動作を制御するための信号を、映像信号処理部３２に出力する。また、操作信号処理部４２より受け取った操作信号に基づき、対応する制御動作を実行する。
制御部２１は、例えばマイコンやＤＳＰのような演算装置で構成することができる。
【００１４】
映像入力部３１は、プロジェクタ１の外部機器等から与えられる映像信号を受け取り、アナログ映像信号であればデジタル映像信号に変換するなどの処理を施して、映像信号処理部３２に出力する。
映像信号処理部３２は、映像入力部３１からの入力映像信号を１フレーム（１画面）毎にフレームメモリ３３に記憶させるとともに、フレームメモリ３３に記憶された映像（以下、フレーム映像ともいう）を読み出す機能を有し、入力映像信号と制御部２１の指示に基づいてデジタルの出力映像信号を生成して液晶パネル駆動部１１に出力する。
映像信号処理部３２は、マイクロプロセッサ等により構成され、内蔵したプログラムを実行することにより、上記の処理を行う。
【００１５】
操作パネル４１は、プロジェクタ１の本体筐体の外面に設けられ、ユーザの操作情報を受け付けるためのものである。
ユーザが操作パネル４１に配置されたキーを押下等すると、それに対応した操作信号が操作信号処理部４２に出力される。
また、リモコンＲＣも操作パネル４１と同様にユーザの操作情報を受け付け、それに対応した操作信号を無線通信により操作信号処理部４２に出力する。
操作信号処理部４２は、操作パネル４１やリモコンＲＣが出力した操作信号を受け取り、デジタル信号に変換するなどの処理を施して、制御部２１に出力する。
【００１６】
記憶部５１は、プロジェクタ１の動作に必要な種々のデータを格納する。
記憶部５１は、ＲＯＭ、ＨＤＤ、ＮＶＲＡＭ等の不揮発性の記憶装置により構成される。
【００１７】
距離取得部６１は、後述する方法により、プロジェクタ１とスクリーンＳＣの距離を取得し、その結果を制御部２１に出力する。
【００１８】
次に、距離取得部６１がプロジェクタ１とスクリーンＳＣの距離（投射距離）を取得する手順について説明する。
投射光学系１６が備えるレンズの焦点距離、投写映像の長辺、投射距離の間には、次式（１）の関係が成立するので、同式より投射距離を算出することができる（プロジェクタの設計仕様によっては補正を加えることもある）。
焦点距離＝（投射距離／投写映像の長辺）×アパーチャーサイズ  ・・・（１）
【００１９】
上記式（１）において、アパーチャーサイズは製品製造時等に得られる既知の値を用いる。また、投写映像の長辺は、プロジェクタの設置環境や機種に応じた固定値を用いる等とすればよい。例えば、「６０型」といったスクリーンサイズの規定値より投写映像の長辺を決定することができる。
焦点距離は、投写映像のピントが合っているという前提の下、投射光学系１６におけるレンズ位置を制御部２１が得ることにより取得できる。
【００２０】
図２は、投射距離と投写映像の輝度との関係について説明するものである。
プロジェクタ１は、投射距離が近い場合には投射映像の輝度を下げ、投射距離が遠い場合には投射映像の輝度を上げるように動作する。これは、投射距離が近いときに輝度を高くし過ぎるとユーザが眩しく感じるからであり、また投射距離が遠いときに輝度を上げることにより、投写映像が暗すぎてユーザが観づらく感じることを避けるためである。
このように動作することで、投射距離によらず一定の投写映像の明るさをユーザに体感させることができる。
なお、輝度の自動調整はユーザの指示により実行してもよいし、映像投射時に自動的に実行するようにしてもよい。
【００２１】
以上より、制御部２１は、式（２）に表す関数ｆ（ｘ）を用いて、投写映像の輝度を設定する。関数ｆ（ｘ）の具体的な内容は、製品設計時などに適宜適切なものを設定すればよい。
投射映像輝度＝ｆ（ｘ）  ・・・（２）
ただし、ｘ：投射距離、ｘ１＞ｘ２のときｆ（ｘ１）＞ｆ（ｘ２）
【００２２】
図３は、本実施の形態１に係るプロジェクタ１の動作フローを説明するものである。以下、各ステップについて説明する。なお、プロジェクタ１はスクリーンＳＣに映像を投射できる位置に設置済みであるものとする。
【００２３】
（Ｓ３０１）ユーザは、リモコンＲＣ又は操作パネル４１を操作して、投写映像の輝度を自動調整すべき旨の操作を行う。操作信号処理部４２は、リモコンＲＣ又は操作パネル４１よりその旨の信号を受け取り、デジタル化等の必要な処理を施した上で、制御部２１に同旨の操作信号を出力する。
（Ｓ３０２）制御部２１は、ステップＳ３０１で受け取った操作信号に基づき、距離取得部６１に対し投射距離を取得するよう依頼する。距離取得部６１は、上述の方法により投射距離を取得し、その値を制御部２１に出力する。
（Ｓ３０３）制御部２１は、距離取得部６１より受け取った投射距離の値に基づき、先に述べた式（２）を用いて投写映像の輝度を決定する。次に、制御部２１は、決定した輝度に基づき光源１３のランプ光量を調整することにより、投写映像の輝度を調整する。
【００２４】
本実施の形態１において、距離取得部６１が式（１）を用いて投射距離を取得することを説明したが、これは１例であり、投射距離の取得方法は同式による方法に限られないことを付言しておく。
例えば、上記特許文献２に記載の技術を用いて投射距離を取得することもできる。ただし、テストパターンを撮像するための手段が別途必要であるため、製造コストや本体の小型化等の観点とのバランスを考慮する必要がある。
また、投射光学系１６のレンズ位置と投射距離との関係を求め、これをテーブルとして記憶部５１にあらかじめ格納しておいてもよい。
【００２５】
なお、投写映像の輝度調整は光源１３のランプ光量を調整することによる旨を説明したが、これに加えて画像補正処理により画像全体を明るくする補正を行ってもよい。
この場合には、制御部２１は光源１３のランプ光量を調整することに加えて、映像信号処理部３２に対し上述の画像補正処理を指示する。補正の方法は、公知の技術を用いることができる。
これにより、光源の光量調整のみでは調整できない微妙な色合い等に起因する画面の明るさの印象を調整することができる。
【００２６】
以上のように、本実施の形態１によれば、距離取得部６１が取得した投射距離に応じて投写映像の輝度を自動調整することができるので、投射距離によらず一定の投写映像の明るさをユーザに体感させることができる。
即ち、画面が明るすぎて眩しいと感じさせたり、逆に画面が暗すぎて映像が観づらいと感じさせたり、といったことがなくなり、ユーザにとって使い勝手のよいプロジェクタを提供することができる。
【００２７】
実施の形態２．
実施の形態１では、上記式（２）に示す関数ｆ（ｘ）により、投射距離と投写映像の輝度との関係を求める動作例について説明した。
本発明の実施の形態２に係るプロジェクタ１は、この関数ｆ（ｘ）に代えて、投射距離と輝度の関係を保持する後述の距離輝度テーブル５１ａを設け、これを参照することにより投射距離と投写映像の輝度との関係を求める動作例について説明する。
なお、本実施の形態１に係るプロジェクタ１の構成は、後述の距離輝度テーブル５１ａを除いて実施の形態１で説明した図１と同様であるため、説明を省略する。
【００２８】
図４は、記憶部５１が格納している距離輝度テーブル５１ａの構成とデータ例を示すものである。
距離輝度テーブル５１ａは、「投射距離」列と「輝度」列を有する。
「投射距離」列には、プロジェクタ１とスクリーンＳＣの距離の値が格納される。
「輝度」列には、「投射距離」列の値に対応した投写映像の輝度の値が格納される。
これらの列には、プロジェクタ１の出荷時点であらかじめ規定の値が設定されているものとする。
実施の形態１で説明した式（２）の関数ｆ（ｘ）を用いることに代えて本テーブルを参照することにより、投射距離と投写映像の輝度との関係を得ることができる。
【００２９】
図５は、本実施の形態２に係るプロジェクタ１の動作フローを説明するものである。以下、各ステップについて説明する。なお、プロジェクタ１はスクリーンＳＣに映像を投射できる位置に設置済みであるものとする。
【００３０】
（Ｓ５０１）〜（Ｓ５０２）図３のステップＳ３０１〜Ｓ３０２と同様であるため、説明を省略する。
（Ｓ５０３）制御部２１は、距離取得部６１より受け取った投射距離の値に基づき、記憶部５１にアクセスして距離輝度テーブル５１ａを参照する。このとき、「投射距離」列の値が、距離取得部６１より受け取った投射距離の値に合致するエントリを検索する。
（Ｓ５０４）ステップＳ５０３で、距離取得部６１より受け取った投射距離の値に合致するエントリが存在していればステップＳ５０６へ進み、存在していなければステップＳ５０５へ進む。
（Ｓ５０５）制御部２１は、距離輝度テーブル５１ａの各エントリのうち、「投射距離」列の値が、距離取得部６１より受け取った投射距離の値に最も近いエントリを特定する。次に、そのエントリの「輝度」列の値を用いて補間演算を行い、投写映像の輝度の値を決定する。補間演算は、そのエントリの「投射距離」列の値と、距離取得部６１より受け取った投射距離の値との比を求め、その値を「輝度」列の値に乗算する、等の方法を用いることができる。
（Ｓ５０６）制御部２１は、ステップＳ５０４で距離輝度テーブル５１ａより取得した輝度値、又はステップＳ５０５で補間演算により求めた輝度の値に基づき、投写映像の輝度を決定する。次に、制御部２１は、決定した輝度に基づき光源１３のランプ光量を調整することにより、投写映像の輝度を調整する。
【００３１】
以上のように、本実施の形態２によれば、実施の形態１で説明した式（２）の関数ｆ（ｘ）を用いることに代えて距離輝度テーブル５１ａを参照することにより、投射距離と投写映像の輝度との関係を得ることができる。
これにより、投射距離と投写映像の輝度との関係を詳細に設定することができるので、投写映像の輝度を、プロジェクタ１の特性や想定利用環境に合わせて最適化することが可能となる。
【００３２】
実施の形態３．
本発明の実施の形態３では、プロジェクタ１の動作モード毎に、輝度の自動調節値をカスタマイズした構成について説明する。
ここでいう「動作モード」とは、「ホームシアターモード」や「省エネモード」といった、プロジェクタの使用状況に合わせて設定される動作条件のことである。本実施の形態３に係るプロジェクタ１は、このような複数の動作モードに対応しているものとする。
【００３３】
一般に、複数の動作モードに対応したプロジェクタでは、ユーザはリモコンＲＣや操作パネル４１を操作して、プロジェクタ１に動作モードを指示する。プロジェクタ１は、光源１３の光量や音量、投写映像のコントラスト等を、指示された動作モードに合わせて最適化する。
動作モード毎の光量や音量、投写映像のコントラスト等の動作条件は、例えば記憶部５１等にあらかじめ規定値が格納されており、その値に基づいて各部の動作が制御される。
そこで、本実施の形態３において、実施の形態２の図４で説明した距離輝度テーブル５１ａに代えて、新たに後述の距離輝度テーブル５１ｂを設け、輝度の自動調整機能を動作モード毎にカスタマイズ可能となるように構成する。
【００３４】
プロジェクタ１の構成は、距離輝度テーブル５１ｂを除いて実施の形態２と同様であるため、説明を省略する。なお、本実施の形態３における「動作モード指示部」は、操作信号処理部４２がこれに相当する。
【００３５】
図６は、本実施の形態３において記憶部５１が格納している距離輝度テーブル５１ｂの構成とデータ例を示すものである。
距離輝度テーブル５１ｂは、図４で説明した距離輝度テーブル５１ａの構成に加えて、新たに「動作モード」列を有する。
「動作モード」列には、上述のようなプロジェクタ１の動作モードを表す値が格納される。その他の列は図４と同様である。
図６の構成により、距離輝度テーブル５１ｂは、プロジェクタ１の動作モード毎に投射距離と投写映像の輝度との関係を保持することができるので、自動調整される輝度の値を動作モード毎にカスタマイズすることができる。
なお、図６では単一のテーブルに複数の動作モードについての値を格納しているが、動作モード毎に別個のテーブルを設けてもよい。いずれの形式で距離輝度テーブル５１ｂかは設計事項であるため、適宜適切な形式を選択すればよい。
【００３６】
図７は、本実施の形態３に係るプロジェクタ１の動作フローを説明するものである。以下、各ステップについて説明する。なお、プロジェクタ１はスクリーンＳＣに映像を投射できる位置に設置済みであるものとする。
【００３７】
（Ｓ７０１）ユーザは、リモコンＲＣ又は操作パネル４１を操作して、動作モードを設定すべき旨の操作を行う。操作信号処理部４２は、リモコンＲＣ又は操作パネル４１よりその旨の信号を受け取り、デジタル化等の必要な処理を施した上で、制御部２１に同指示値を出力する。制御部２１は、受け取った動作モード指示値を、記憶部５１又は図示しないメモリ等に保持するとともに、その指示値に応じて光量や音量、投写映像のコントラスト等の動作条件を変更して各部の動作を制御する。
（Ｓ７０２）〜（Ｓ７０３）図３のステップＳ３０１〜Ｓ３０２と同様であるため、説明を省略する。
（Ｓ７０４）制御部２１は、距離取得部６１より受け取った投射距離の値に基づき、記憶部５１にアクセスして距離輝度テーブル５１ｂを参照する。このとき、「動作モード」列の値が、操作信号処理部４２より受け取った動作モード指示値と合致するとともに、「投射距離」列の値が、距離取得部６１より受け取った投射距離の値に合致するエントリを検索する。
（Ｓ７０５）〜（Ｓ７０７）図５のステップＳ５０４〜Ｓ５０６と同様であるため、説明を省略する。
【００３８】
以上のように、本実施の形態３によれば、複数の動作モードを持つプロジェクタについて、動作モード毎に投射距離と投写映像の輝度との関係を距離輝度テーブル５１ｂ中に保持することにより、自動調整される輝度の値を動作モード毎にカスタマイズすることができる。
これにより、ユーザが設定した動作モードを、自動輝度調整機能により崩してしまうようなことがなくなるのはもちろんのこと、投写映像の輝度を、プロジェクタ１の特性や想定利用環境、動作モードに合わせて最適化することが可能となる。
【図面の簡単な説明】
【００３９】
【図１】実施の形態１に係るプロジェクタ１の機能ブロック図である。
【図２】投射距離と投写映像の輝度との関係について説明するものである。
【図３】実施の形態１に係るプロジェクタ１の動作フローを説明するものである。
【図４】距離輝度テーブル５１ａの構成とデータ例を示すものである。
【図５】実施の形態２に係るプロジェクタ１の動作フローを説明するものである。
【図６】距離輝度テーブル５１ｂの構成とデータ例を示すものである。
【図７】実施の形態３に係るプロジェクタ１の動作フローを説明するものである。
【符号の説明】
【００４０】
１  プロジェクタ１、１３  光源、１４  液晶ライトバルブ駆動部、１５Ｒ、１５Ｇ、及び１５Ｂ  液晶ライトバルブ、１６  投射光学系、ＳＣ  スクリーン、２１  制御部、３１  映像入力部、３２  映像信号処理部、３３  フレームメモリ、４１  操作パネル、４２  操作信号処理部、５１  記憶部、６１  距離取得部。
【図１】
2008203490.tif 000003
【図２】
2008203490.tif 000004
【図３】
2008203490.tif 000005
【図４】
2008203490.tif 000006
【図５】
2008203490.tif 000007
【図６】
2008203490.tif 000008
【図７】
2008203490.tif 000009